(57)【要約】【課題】  主流である従来の瓦の中で最も断熱性の高い陶器瓦は重く、壊れやすく雨水が入りやすい。陶器瓦の一番の課題は本体重量で、木造建築の地震による倒壊原因の主な要素となっている。また、外気への照り返しや輻射熱を放出し、温暖化防止に逆行する。また、屋内外の温度差を生じ健康にも害になり、露結によりカビ等を発生させる。【解決手段】  防災エコ瓦は、低密度の発泡体で構成されている構造体なので非常に軽く、部材強度の削減になり、リフォーム等でも補強を必要としない葺き替えが可能となる等、地震対策につながる。防災エコ瓦構造体は優れた断熱効果があり、建築物への外断熱効果を得られるため、室温も外気との温度差をなくし露結を発生しない。夏涼しく冬暖かい住環境になり、エアコンなどの使用量も減る等エコ効果も大きい。また陶器瓦に見られる雨水の浸入も、ＥＰＳ断熱台座によって間隙をなくし雨水の浸入を防ぐことができる。【選択図】図７
2010281126.tif 000002
【特許請求の範囲】
【請求項１】
建築物の屋根瓦として、軽量で耐火、耐水、断熱性に優れた炭酸カルシウム発泡板を使って瓦型に成型し表面を防水・耐久補強した瓦を特徴とする、防災エコ瓦の構造体。
【請求項２】
前記瓦と屋根躯体との間隙に緩衝効果と雨水の浸水防止、断熱効果を高める軽量なＥＰＳ断熱台座を組み合わせた構造を特徴とする、請求項１に記載の防災エコ瓦の構造体。
【請求項３】
他材との接着が良い炭酸カルシウム系発泡板の特性を利用し、また建築物屋根躯体と瓦との取り付けを主に接着剤で接着取り付けする瓦と建物を一体化することにより耐風構造を特徴とする、請求項２に記載の防災エコ瓦の構造体
【発明の詳細な説明】
【技術分野】
【０００１】
本発明は、炭酸カルシウム系発泡板、例えば不燃断熱材として認可され市販されている、フジ化成工業株式会社製造の商品名「ロックセルボード」である炭酸カルシウム系発泡板を素材にして成型加工した瓦に、ＥＰＳ（Ｅｘｐａｎｄｅｄ  Ｐｏｌｙ−Ｓｔｙｒｅｎｅ）断熱台座を組み合わせて構成される屋根瓦構造体で、軽量で安全性が高く、高断熱瓦の防災エコ瓦に関するものである。
【０００２】
上記炭酸カルシウム系発泡板とは、炭酸カルシウムを主成分とし、無機質充填剤５５〜７５重量部、有機系バインダー樹脂５〜１０重量部、水酸化マグネシウム２０〜３０重量部および適量の発泡剤を混合した混合物を発泡させてなる炭酸カルシウム系発泡板であることを特徴とする。
【背景技術】
【０００３】
従来の瓦素材を分類すると以下のようなものがある。
【０００４】
陶器瓦は粘土を焼成して作る瓦の代表的なものである。スレート瓦はセメントと繊維を主成分に形成し表面処理したものである。金属瓦はカラー鉄板、鋼板、アルミ合金等を加工したものである。天然素材瓦は木・草・石等の天然素材を加工したものである。
【０００５】
上記のように瓦の形状や取り付け方法も多種多様であるが、屋根下地に根太等の桟木に直接取り付けるものが多く専門職人による技術が必要となる。
【０００６】
各種瓦には耐風、耐火、耐水、断熱等、外気から建築物を守る必要条件があるばかりではなく、地震等瓦の自重による倒壊原因になることから、軽量化も図らなければならない。
しかし各種瓦には次のような欠点がある。
【０００７】
陶器瓦は重量があり、壊れやすく雨水が入りやすい。スレート瓦は吸水性が高く、屋根勾配が必要となる。また断熱性が低く、表面劣化が早い。金属瓦は断熱効果が少なく、輻射熱が出て、錆びてしまう。天然素材瓦は風化し、腐蝕が早い。また素材の入手がしにくく、防火性が低い。このように全ての必要条件を満たす瓦は無かった。
【先行技術文献】
【特許文献】
【０００８】
【特許文献１】特開２００４−６８５８７号  公報
【特許文献２】特開昭５９−２１７６６１号  公報
【特許文献３】特開２００１−１１５６０２号  公報
【特許文献４】特開２００３−２０６１７４号  公報
【発明の概要】
【発明が解決しようとする課題】
【０００９】
以上に述べた従来の瓦では、耐火、耐水、軽量、断熱性を全て兼ね備えた瓦は無く、軽量である金属瓦は錆びやすく、断熱性が低く、照り返しや輻射熱を外気に放出しやすい欠点があり、陶器瓦は断熱性があるものの他の瓦に比べ重く、木造建築等には構造体に負荷がかかり、地震等の防災対策に構造補強等の費用がかかる。他種瓦からの葺き替えをするリフォーム工事でも躯体の補強にかなりの費用がかかってしまう。また瓦工事は瓦職人等、瓦葺きの専門取り付け技術が必要なことから施工性も悪く、高価なものであった。
【００１０】
本発明は以上のような従来の瓦の欠点を解決しようとするものであり、本来瓦の目的は形状等美観だけでなく、建物を外気や風雨、自然災害から守る役割があることから、防火、防水性はもとより木造建築等の地震による倒壊を防ぐため、瓦の素材は柔軟で軽量であることが防災上必要である。また環境に対しても温暖化防止に役立つ断熱性の高い瓦を提供することを目的としている。
【課題を解決するための手段】
【００１１】
そして本発明は、耐火、耐水性に優れ軽量で断熱性の高い瓦を可能にする為、可撓性があり耐水性の高い炭酸カルシウム系発泡板に着眼した。素材は市販されており、入手しやすい。素材の特徴は熱伝導の小さい完全独立気泡構造の発泡体で、軽量であり高断熱性があり、耐水、防湿性もある。また無機質の炭酸カルシウムが主原料の素材で不燃断熱材としての認可もあり、防火性にも優れている。この炭酸カルシウム系発泡板を瓦型に成型し、防水塗料で防水強化し、アクリル樹脂セメント等で表面補強仕上げをした瓦である。
【００１２】
瓦の下部に瓦の緩衝と雨水浸入防止及び断熱強化対策としてＥＰＳ断熱台座を設け、接着による瓦との一体化を図った構造体である。また屋根下地は構造用合板に防水塗料を塗布し、接着材で密着固定する為、屋根と瓦との一体化を図ることが出来、軽量であるが風に強い構造体になる。
【発明の効果】
【００１３】
上述したように瓦の材料となる炭酸カルシウム系発泡板は、完全独立気泡構造の発泡材であり空気を多く含んでおり、熱伝導率が非常に小さく、優れた断熱効果を発揮します。また台座として構成されるＥＰＳ台座も同じ高断熱効果があり、エコ効果も高い。
【００１４】
瓦の材料となる炭酸カルシウム系発泡板は低密度の発泡体であり、構成部材のＥＰＳ台座も、低密度発泡板であることから、非常に軽量な瓦構造体となり防災等安全性も高い。
【００１５】
防災エコ瓦本体は無機質の炭酸カルシウムが主原料であり、炭酸カルシウム系発泡板は不燃材料としてすでに認可されていることから防火対策につながる。
【００１６】
瓦の材料とする炭酸カルシウム系発泡板は独立気泡構造の発泡体なので、吸水、吸湿はなく耐水に優れている。図７の様に瓦表面にアクリル防水樹脂塗料を塗布することにより、より優れた防水効果を生むことができる。その為屋根勾配を緩やかにすることができる。またＥＰＳ断熱台座を（図６参照）を構成することにより雨水の浸入を防ぐことができる。
【００１７】
防災エコ瓦主材、炭酸カルシウム系発泡板は無機質の発泡体であるので、接着性も非常に優れていることから、他材との複合化にも最適の断熱材である。ビスと接着による取り付けは屋根下地材との一体化を図ることができ軽量であっても耐風効果を十分発揮できる。
【００１８】
防災エコ瓦構造体はビスと接着による取り付けで特殊技術は必要とせず、簡単に取り付けが可能である。また、現場でのカットや修正、加工も容易にできる他、可撓性があることから曲面や変形屋根にも容易に対応できる。軽量であることからも、高所作業に安全であり、施工性も十分効果が得られる。
【図面の簡単な説明】
【００１９】
【図１】本発明の防災エコ瓦の外観図
【図２】本発明の防災エコ瓦の断面図
【図３】本発明のＥＰＳ断熱台座の外観図
【図４】本発明の防災エコ瓦の取り付け実施の外観図
【図５】防災エコ瓦を直接野地板に取り付けた場合の断面図
【図６】本発明の防災エコ瓦の実施断面図
【図７】本発明の防災エコ瓦を施工した場合の断面図
【発明を実施するための形態】
【００２０】
以下発明の実施形態を図１〜図７に基づいて説明する。
【００２１】
図１については、１、２、３は防災エコ瓦の実施形態で単体の瓦の形状のそれぞれを示し、また４、５、６は施工性を良くする為に１、２、３のそれぞれ単体の瓦を横に繋げ連結型にした瓦の形状を示す。
【００２２】
図２については、図１の３におけるＡ−Ａの断面図であり、防災エコ瓦は気泡により構成される密閉空間８が炭酸カルシウム混入バインダー樹脂膜９の中に分布した完全独立気泡構造により優れた断熱性を発揮するようになっている。
【００２３】
図３については、瓦と屋根との間隙を埋める段差部１１を有したＥＰＳ断熱台座１０の形状となる。
【００２４】
図４については、図１の４、５、６で示す防災エコ瓦はＥＰＳ断熱台座１０の上に順次取り付けられる。
【００２５】
図５については、防災エコ瓦を直接屋根に施工した場合、屋根との間に間隙が出来てしまう事を示した。
【００２６】
図６については、図４におけるＢ−Ｂの断面図であり、ＥＰＳ断熱台座１０は瓦の接合部と屋根との間隙を埋める形状となる。
【００２７】
図７については、図４におけるＢ−Ｂの断面図であり、防災エコ瓦と屋根との間隙をＥＰＳ断熱台座１０によって埋められ、アクリル防水樹脂塗料１３と接着材１４によって屋根一体型となる形態を示したもので、ノコギリ状の段差部１１は、防災エコ瓦の厚みになり、瓦の上面はアクリル防水樹脂塗料１３と樹脂セメント１５、表面樹脂コーティング１６で強化している。
【符号の説明】
【００２８】
１うろこ洋瓦
２木調うろこ瓦
３陶器調瓦
４連結型うろこ洋瓦
５連結型木調うろこ瓦
６連結型陶器調瓦
７ビス
８密閉空間
９炭酸カルシウム混入バインダー樹脂膜
１０ＥＰＳ断熱台座
１１段差部
１２構造合板、屋根下地
１３アクリル防水樹脂塗料
１４接着材
１５樹脂セメント
１６表面樹脂コーティング
【図１】
2010281126.tif 000003
【図２】
2010281126.tif 000004
【図３】
2010281126.tif 000005
【図４】
2010281126.tif 000006
【図５】
2010281126.tif 000007
【図６】
2010281126.tif 000008
【図７】
2010281126.tif 000009